(57)【要約】【課題】例えばイニシャライズ時等に異音が発生するのを防止して低騒音化することができる電動弁を提供する。【解決手段】モールド体５０を有する励磁装置Ｓをキャン４０及び弁本体２０に固定するのに、クリップ５９により流体入出管２０ｂを保持するとともに、複数の突出部６０によりキャン４０の外周面を支持するようにして、２つの支持点により励磁装置Ｓを支持する。その結果、電動弁１０では、ガタツキを防止することができ、例えばイニシャライズ時等に振動に起因する異音の発生を防止することができる。【選択図】図２
2007147013.tif 000002
【特許請求の範囲】
【請求項１】
弁体により流体の通過流量を調整する弁本体と、該弁本体に固着され前記弁体を開閉させるロータを内蔵するキャンと、該キャンの外周部に嵌合される嵌合孔が形成されるとともに前記ロータを回転駆動する励磁装置と、前記弁本体に連設された１対の流体入出管と、前記励磁装置に取り付けられ、前記１対の流体入出管のうち水平流体入出管に係合するクリップとを備えた電動弁において、
前記励磁装置の嵌合孔には前記キャンの外周部に当接する複数の突出部が形成されていることを特徴とする電動弁。
【請求項２】
前記励磁装置は、前記クリップ及び前記突出部の２つを支持点として前記弁本体及び前記キャンに固定されることを特徴とする請求項１に記載の電動弁。
【請求項３】
前記複数の突出部は、逆三角錐状に形成されることを特徴とする請求項１または２に記載の電動弁。
【請求項４】
前記複数の突出部は、前記励磁装置の中心に対して等角度間隔で形成されることを特徴とする請求項１乃至３のいずれか１項に記載の電動弁。
【発明の詳細な説明】
【技術分野】
【０００１】
本発明は、例えば空気調和機、冷凍機等に用いられる電動弁に係り、特にはキャン、弁本体への励磁装置の取付構造の改良に関する。
【背景技術】
【０００２】
従来から、空気調和機、冷凍機等には、冷媒等の流体の流量を制御するために電動弁が用いられている。このような電動弁の一例として、特許文献１及び特許文献２のように、弁室、弁座、及び、垂直方向および水平方向にそれぞれ延出する２本の流体入出管を有する弁本体と、弁本体に固着されたキャンとを備えており、キャンの内側にロータが内蔵され、キャンの外部にロータを電磁的に回転駆動する励磁装置が外嵌されている。
【０００３】
この電動弁では、励磁装置の下部に２つの腕部を有する回り止め部材であるクリップが固定されている。励磁装置の中央に形成された嵌合孔にキャンを嵌合させて弁本体方向に押し込むことにより、励磁装置に固定したクリップの２つの腕部が水平方向の流体入出管に係合保持され、キャンおよび弁本体に励磁装置が取り付けられる。
【特許文献１】特開２０００−３４６２２６号公報
【特許文献２】特開２００３−１８５３０２号公報
【発明の開示】
【発明が解決しようとする課題】
【０００４】
しかしながら、上述した特許文献１および特許文献２の電動弁では、励磁装置の嵌合孔と嵌合されるキャンとの間にクリアランスがあると、クリップによる１点支持のみとなるために、ガタツキが生じ、例えばイニシャライズ時等に振動に起因する異音が発生してしまうという問題があった。
【０００５】
本発明は、上記実情に鑑みてなされたもので、例えばイニシャライズ時等に異音が発生するのを防止して低騒音化することができる電動弁を提供することを目的とする。
【課題を解決するための手段】
【０００６】
上記目的を達成するため、本発明の電動弁は、
弁体により流体の通過流量を調整する弁本体と、該弁本体に固着され前記弁体を開閉させるロータを内蔵するキャンと、該キャンの外周部に嵌合される嵌合孔が形成されるとともに前記ロータを回転駆動する励磁装置と、前記弁本体に連設された１対の流体入出管と、前記励磁装置に取り付けられ、前記１対の流体入出管のうち水平流体入出管に係合するクリップとを備えた電動弁において、
前記励磁装置の嵌合孔には前記キャンの外周部に当接する複数の突出部が形成されていることを特徴とする。
【０００７】
また、前記励磁装置は、前記クリップ及び前記突出部の２つを支持点として前記弁本体及び前記キャンに固定されることを特徴とする。
【０００８】
また、前記複数の突出部は、逆三角錐状に形成するようにしてもよい。
【０００９】
また、前記複数の突出部は、前記励磁装置の中心に対して等角度間隔で形成されるようにしてもよい。
【発明の効果】
【００１０】
本発明によれば、例えばイニシャライズ時等に異音が発生するのを防止して低騒音化することができる電動弁を提供することがコスト上昇を招くことなく達成できる。
【発明を実施するための最良の形態】
【００１１】
本発明の実施の形態に係る電動弁について、以下図面を参照して説明する。電動弁１０は、図２及び図３に示すように、弁室内の弁座に接離して開弁・閉弁を行う弁体により冷媒の通過流量を調整する弁本体２０と、弁本体２０に固着され弁体を開閉動作させるロータを内蔵するキャン４０と、キャン４０に外嵌されロータを回転駆動する励磁装置Ｓとを備えている。ロータと励磁装置Ｓによりステッピングモータを構成している。また、弁本体２０の弁室には、冷媒等の流体が出入する垂直方向に延出する流体入出管２０ａと水平方向に延出する流体入出管２０ｂとが設けられている。
【００１２】
キャン４０はステンレス等の非磁性の金属から形成される有底円筒状をしており、弁本体２０の上部に固着されたステンレス製の鍔状板４１に溶接等により固着され、内部は気密状態に保たれている。励磁装置Ｓは磁性材により構成されるステータ５１と、このステータ５１にボビン５２を介して巻回される上下のステータコイル５３，５３とから構成され、これらの各構成要素が合成樹脂からなるモールド体５０によってモールドされることによって励磁装置Ｓに防水・防湿性が付与されている。励磁装置Ｓのモールド体５０には、キャン４０に外嵌する嵌合孔５０ａが形成されている。
【００１３】
また、図１に示すように、モールド体５０の嵌合孔５０ａの上縁部分には複数の逆三角錐状の突出部（リブ）６０が形成されている。この突出部６０は、図２に示すように、モールド体５０の嵌合孔５０ａにキャン４０が挿嵌されると、キャン４０の外周面との当接部分がつぶされた状態でキャン４０を支持する。３つの突出部６０は、モールド体５０の中心に対して等角度間隔で形成されている。
【００１４】
弁本体２０は黄銅等の金属から構成され、キャン４０との接合は、キャン４０に溶接等により固着された鍔状板４１の段差部にキャン４０の端部を突き合わせ溶接することにより行っている。なお、突き合わせ溶接に限らず、キャン４０の端部を外周に平坦に折り曲げて鍔状部として形成し、この鍔状部と鍔状板４１とをいわゆる拝み溶接により固定するようにしてもよい。
【００１５】
モールド体５０からは、ステータコイル５３、５３に接続された複数のリード端子５４が突出しており、このリード端子５４に複数のリード線５５が接続されたコネクタ５６が連結されている。そして、コネクタ５６を覆うカバー５７がモールド体５０に溶着され、カバー５７内はシリコーン樹脂等の充填材５８で充填されている。
【００１６】
励磁装置Ｓつまりモールド体５０は中心に開口された嵌合孔５０ａを有し、この嵌合孔５０ａにキャン４０の外周面が突出部６０により支持された状態で嵌合される。モールド体５０の下面に溶着されたクリップ５９で水平方向に延出する流体入出管２０ｂを保持することにより、励磁装置Ｓは弁本体２０及びキャン４０に固定される。
【００１７】
クリップ５９は、例えばステンレススチール等の弾性を有する金属板から構成され、取付孔５９ｂを形成した水平方向の基部５９ａと、この基部５９aより下方に延出する２つの腕部５９ｃ，５９ｃを有するとともに、基部５９ａから立設された位置決め部５９ｄが形成されている。
【００１８】
２つの腕部５９ｃ，５９ｃは基部５９ｃより延出される平行部とその下方に連続する湾曲部とを有し、湾曲部は水平方向に延出する流体入出管２０ｂの管径と同等の曲率半径で形成されている。位置決め部５９ｄは、上方に立設された一対の板状の部材からなり、モールド体５０の外周部に係合することにより突部５０ｂに対して回転するのを防止している。クリップ５９は取付孔５９ｂにモールド体５０の突部５０ｂを挿入して超音波ウェルダ等により押しつぶすことにより固定される。
【００１９】
このように本実施の形態の電動弁１０では、励磁装置Ｓ（モールド体５０）をキャン４０及び弁本体２０に固定するのに、クリップ５９により流体入出管２０ｂを保持するとともに、複数の突出部６０によりキャン４０の外周面を支持するので、２つの支持点により励磁装置Ｓを支持することができる。
【００２０】
その結果、本実施の形態の電動弁１０では、ガタツキを防止することができ、例えばイニシャライズ時等に振動に起因する異音の発生を防止して低騒音化を実現することができる。
【００２１】
以上、実施形態を挙げて本発明を説明したが、本発明は上記実施形態に限定されるものではなく、種々変形が可能である。例えば、本実施の形態では、突出部６０を逆三角錐状に形成する例について説明したが、突出部６０はキャン４０の外周と当接することによりキャン４０を支持することができる形状であればよく、例えば直方体、立方体の形状であってもよい。
【００２２】
また、本実施の形態では、突出部６０を３つ設ける例について説明したが、突出部６０の数は３つに限らず、２つであっても、３つ以上であってもよい。
【００２３】
また、本実施の形態では、突出部６０を等間隔角度で形成する例について説明したが、キャン４０の外周部を支持できれば、必ずしも等間隔角度で形成する必要はない。
【００２４】
また、本実施の形態では、クリップ５９について基部５９ａが板状である例について説明したが、例えば基部の形状を略リング状に形成して、複数の取付孔５９ｂを形成するようにしてもよいし、基部を長めに形成して、複数の取付孔５９ｂを形成するようにしてもよいし、２つの腕部５９ｃ，５９ｃにより流体入出管２０ｂを保持する構造を有するクリップであればその形状は限定されない。
【図面の簡単な説明】
【００２５】
【図１】本発明の実施形態に係る電動弁の励磁装置（モールド体）及びその周辺部分の概略構成を表す斜視図である。
【図２】図１に示した励磁装置が装備された状態の電動弁を表す断面図である。
【図３】図２に示した電動弁の平面図である。
【符号の説明】
【００２６】
１０      電動弁
２０      弁本体
２０ａ，２０ｂ  流体入出管
４０      キャン
５０      モールド体
５０ａ    嵌合孔
５９      クリップ
Ｓ        励磁装置
６０      突出部
【図１】
2007147013.tif 000003
【図２】
2007147013.tif 000004
【図３】
2007147013.tif 000005